(57)【要約】【課題】収納ラックの揺動のリンク軌道で固定枠体と接触しない制約の中で、収納ラックの下方部にも最大限に収納空間を確保でき、かつ、収納物の大きさ，数量等に応じて、収納空間を容易に変更できる吊棚装置を提供することを目的とする。【解決手段】収納ラック１を前方開口箱型の固定枠体２に対し手前下方の引き出し状態と後上方の収納状態とに水平方向の第一軸心１１と第二軸心１２とを揺動中心として揺動切り替え可能とする平行四節リンク機構３を有する。上記固定枠体２の後下方の隅部に左右方向に横架された捩りバネ部材４が配設される。そして、上記収納ラック１の底面部は、上記捩りバネ部材４の上方に形成される水平面状後方底面部６と、該後方底面部６の前端部から下方鉛直状に形成されかつ上記バネ部材４の前方に配設された鉛直面部８と、該鉛直面部８の下端部から前方へ形成された水平面状前方底面部７と、から成る。【選択図】  図１
2004313247.tif 000002
【特許請求の範囲】
【請求項１】
収納ラック（１）を前方開口箱型の固定枠体（２）に対し手前下方の引き出し状態と後上方の収納状態とに水平方向の第一軸心（１１）と第二軸心（１２）とを揺動中心として揺動切り替え可能とする平行四節リンク機構（３）を有する吊棚装置であって、上記収納ラック（１）の底面部は、水平面状後方底面部（６）と、該後方底面部（６）の前端部から下方鉛直状に形成された鉛直面部（８）と、該鉛直面部（８）の下端部から前方へ形成された水平面状前方底面部（７）と、から成ることを特徴とする吊棚装置。
【請求項２】
前後にスライド自在な可動棚板（２５）が、前方へスライドして上記前方底面部（７）の上方で上記後方底面部（６）と略同一高さに保持可能に備えられた請求項１記載の吊棚装置。
【請求項３】
上記可動棚板（２５）が、前後にスライド自在な第一可動棚板（２６）と、該第一可動棚板（２６）と積層可能として前後にスライド自在に配設される第二可動棚板（２７）と、から成り、上記第一可動棚板（２６）と上記第二可動棚板（２７）とを、積層状態で上記後方底面部（６）上に後退可能であって、かつ、上記前方底面部（７）の上方にスライドして同一平面状に展開可能である請求項２記載の吊棚装置。
【請求項４】
収納ラック（１）の前方底面部（７）の前端部に、上記収納ラック（１）を引き出し状態にするための把持部（１６）を備え、該把持部（１６）は、前方へ開口状の金属押出型材から成る請求項１，２又は３記載の吊棚装置。
【発明の詳細な説明】
【０００１】
【発明の属する技術分野】
本発明は、吊棚装置に関する。
【０００２】
【従来の技術】
従来の吊棚装置は、収納ラックを固定枠体に対し、平行四節リンク機構による揺動動作により、手前下方の引出し状態と後上方の収納状態とに切り換え、固定枠体の後下方の隅部に左右方向に横架されたトーションバーが配設されるものが知られている（例えば、特許文献１参照）。
【０００３】
【特許文献１】
特開２００１−３２７３３７公報
【０００４】
【発明が解決しようとする課題】
この従来の吊棚装置に於ては、収納空間の底面が、左右方向に横架されたトーションバーよりも上方に位置する平坦面（平面）をもって形成されていた。このため、収納ラックの下方部が、収納空間として最大限に利用されているとは言えない。
【０００５】
そこで、本発明は、収納ラックの揺動のリンク軌道で固定枠体と接触しない制約の中で、収納ラックの下方部にも最大限に収納空間を確保でき、かつ、収納物の大きさ，数量等に応じて、収納空間を容易に変化させることができる吊棚装置を提供することを目的とする。
【０００６】
【課題を解決するための手段】
上記の目的を達成するために、本発明に係る吊棚装置は、収納ラックを前方開口箱型の固定枠体に対し手前下方の引き出し状態と後上方の収納状態とに水平方向の第一軸心と第二軸心とを揺動中心として揺動切り替え可能とする平行四節リンク機構を有する吊棚装置であって、上記収納ラックの底面部は、水平面状後方底面部と、該後方底面部の前端部から下方鉛直状に形成された鉛直面部と、該鉛直面部の下端部から前方へ形成された水平面状前方底面部と、から成る。
具体的には、収納ラックを前方開口箱型の固定枠体に対し手前下方の引き出し状態と後上方の収納状態とに水平方向の第一軸心と第二軸心とを揺動中心として揺動切り替え可能とする平行四節リンク機構を有し上記固定枠体の後下方の隅部に左右方向に横架された捩りバネ部材が配設された吊棚装置であって、上記収納ラックの底面部は、上記捩りバネ部材の上方に形成される水平面状後方底面部と、該後方底面部の前端部から下方鉛直状に形成されかつ上記捩りバネ部材の前方に配設された鉛直面部と、該鉛直面部の下端部から前方へ形成された水平面状前方底面部と、から成る。
【０００７】
また、前後にスライド自在な可動棚板が、前方へスライドして上記前方底面部の上方で上記後方底面部と略同一高さに保持可能に備えられている。
あるいは、上記可動棚板が、前後にスライド自在な第一可動棚板と、該第一可動棚板と積層可能として前後にスライド自在に配設される第二可動棚板と、から成り、上記第一可動棚板と上記第二可動棚板とを、積層状態で上記後方底面部上に後退可能であって、かつ、上記前方底面部の上方にスライドして同一平面状に展開可能である。
また、収納ラックの前方底面部の前端部に、上記収納ラックを引き出し状態にするための把持部を備え、該把持部は、前方へ開口状の金属押出型材から成る。
【０００８】
【発明の実施の形態】
以下、実施の形態を示す図面に基づき、本発明を詳説する。
【０００９】
図１〜図５に、本発明の実施の一形態を示し、この吊棚装置は、壁面Ｗ等に取付けられるものであり、収納ラック１を、前方へ開口箱型であって後部が壁面Ｗ等に固定される固定枠体２に対し、揺動により手前下方の引き出し状態（下止点）と後上方の収納状態（上止点）とに切り替え可能とする平行四節リンク機構３を有する。図１の実線と図２及び図４では、収納ラック１が固定枠体２に収納された収納状態が図示されており、図１に於て、二点鎖線の収納ラック１は引き出された状態を示す。なお、固定枠体２の手前側である正面に、開閉扉を設けるも自由である（図示省略）。
【００１０】
平行四節リンク機構３は、吊棚装置の幅方向である左右方向の両側において、一端部側が固定枠体２の後下方の隅部の取付枠１９に取付け固定された取付部材１７を介して固定枠体２に連結され、他端部側が収納ラック１の上部位置の取付板２０に連結されて、収納ラック１を吊り下げ状としている。そして、固定枠体２（取付枠１９）に取着された取付部材１７に、相互に異なる位置であって収納ラック１の揺動中心となる水平方向の第一軸心１１及び第二軸心１２が配設され、収納ラック１側の取付板２０に、相互に異なる位置であって第一軸心１１及び第二軸心１２に平行な第四軸心１４と第五軸心１５が配設され、主アーム部材９と副アーム部材１０とこれらの軸心の四点により、略平行四辺形を保つ平行四節リンク機構３を構成し、収納ラック１の姿勢を常に平行に保っている。
【００１１】
具体的には、主アーム部材９の一端部９ａが第一軸心１１に枢着され他端部９ｂが第四軸心１４に枢着され、また、副アーム部材１０の一端部１０ａが第二軸心１２に枢着され他端部１０ｂが第五軸心１５に枢着されている。さらに、取付部材１７には、第一軸心１１及び第二軸心１２に平行で異なる位置に第三軸心１３が配設され、変形量（回転角度）に正比例して第三軸心１３廻りに弾発力を生じさせる捩りバネ部材４が、左右方向に横架状に配設されている。即ち、捩りバネ部材４は第一軸心１１近傍の真下に配設され、図１０に例示のアーム片３６と突片３７，３８を介して、又は、互いに噛合するギアを介して、捩りバネ部材４の弾発力は主アーム部材９に伝達され、図１の矢印２８と反対方向に常時主アーム部材９───従って平行四節リンク機構３───を弾発付勢して、収納ラック１を上昇方向に常時弾発付勢する。
【００１２】
図４に於て、収納ラック１の後下方部には、収納状態の収納ラック１が上述の左右方向に横架状に配設され捩りバネ部材４のスペースを（最低限）確保した逃げ空間部２２が、形成される。具体的に記載すると、収納ラック１の底面部は、上記捩りバネ部材４の上方に形成される水平面状後方底面部６と、該後方底面部６の前端部から下方鉛直状に形成されかつ上記捩りバネ部材４の前方に配設された鉛直面部８と、該鉛直面部８の下端部から前方へ形成された水平面状前方底面部７と、から成り、逃げ空間部２２は、後方底面部６の裏面側と、鉛直面部８の裏面側と、から形成される。ここで、収納ラック１を矢印２８の方向又は矢印２８の逆方向のように揺動させる際に、鉛直面部８の下端部と前方底面部７の後端部との連結折曲部３１が固定枠体２の底面前端部と接触しないように、この折曲部３１の位置を設定する。
【００１３】
収納ラック１は、前方底面部７の前端部に、収納ラック１を手前下方の引き出し状態にするための把持部１６を備えている。具体的には、この把持部１６は、前方へ開口状であって横断面Ｃ字状やＧ字状又はコ字状の取手部５を具備し、この取手部５は、金属押出型材から成り、収納ラック１の前方底面部７の前端部に左端から右端まで延設されている。あるいは、手Ａで把持可能な左右横幅を有する取手部５が、収納ラック１の前方底面部７の前端部の左右両端や中央部に、部分的に配設されるのもよい。
【００１４】
収納ラック１の前方底面部７の上方の左右壁の内面には、左右一対のガイド用突条３０，３０が、前後方向へ水平状に延設されており、ガイド用突条３０，３０の上面と後方底面部６の上面とは、同一高さである。そして、図４に示されるように、収納ラック１の左右方向の内部幅と（左右方向に）略同一幅を有する可動棚板２５が、ガイド用突条３０，３０上に、前後にスライド自在に保持される。図４は、可動棚板２５が前方へスライドして前方底面部７の上方で後方底面部６と略同一高さに保持された状態を示す。この状態で、後方底面部６と可動棚板２５が略連続平坦面を形成する。また、図５は、可動棚板２５の後端部２５ｂが、後方底面部６の後端部付近までスライドした状態を示す。
【００１５】
図４の状態では、可動棚板２５の下方に（増容量）下方収納空間３２と、可動棚板２５の上方に中間収納空間３３と、（後述する）上棚板２４の上方に上方収納空間３４と、を有する。上棚板２４は、収納ラック１の左右壁の内面及び後部壁の内面に支持されている。そして、図５の状態で、下方収納空間３２の一部及び中間収納空間３３を上下方向に併せた大収納空間を形成している。なお、図４と図５に於て、下方収納空間３２を多数の点々をもってその範囲を示した。
また、可動棚板２５の前端部２５ａには、可動棚板２５を前後にスライドさせるために手で把持する起立片が、左右長手方向に形成されている。また、この起立片は、可動棚板２５上に載置される収納物２１を前方へ滑り落ち防止する機能も有する。
【００１６】
次に、図６〜図９は本発明の他の実施の形態を示し、（図４，図５に於て、一体物である）可動棚板２５は、前後にスライド自在な第一可動棚板２６と、第一可動棚板２６に積層可能（積み重ね可能）として前後にスライド自在に配設される第二可動棚板２７と、から成り、第一可動棚板２６，第二可動棚板２７は、共に収納ラック１の左右方向の内部幅と（左右方向に）略同一幅を有する。第一可動棚板２６の後端部２６ｂと第二可動棚板２７の前端部２７ａは、相互に上下逆向きの引掛け用横断面小フック形状に、左右長手方向に形成されている。
【００１７】
そして、第一可動棚板２６及び第二可動棚板２７の左右両端縁部が、（図４，図５の説明で記載したように、）ガイド用突条３０，３０上に、前後にスライド自在に保持される。図６は、第一可動棚板２６と、第二可動棚板２７とを、前方底面部７の上方にスライドして同一平面状に展開した状態を示しており、上述の第一可動棚板２６の後端部２６ｂの小フック部と第二可動棚板２７の前端部２７ａの小フック部とが、左右長手方向にわたって係合されている。
【００１８】
図６の図示の状態から、第一可動棚板２６を後方へスライドさせて第二可動棚板２７の上に積層させ（重ね合わせ）、次に、図７に示すように、積層した（重ね合わせた）第一可動棚板２６と第二可動棚板２７とを後方底面部６の上面にスライドさせることで、大きな上下方向寸法の収納空間を形成できる。また、図８から図９に示すように、逆に矢印３５方向へ第一可動棚板２６を前方へスライドし、第一可動棚板２６の後端部２６ｂの小フック部と第二可動棚板２７の前端部２７ａの小フック部を係合させつつ、引き出して、元の図６のように同一平面状に展開することができる。
【００１９】
上述したような吊棚装置の作用について説明する。収納ラック１の把持部１６を図３に示すようにつかみ、図１の矢印２８の方向へ引き出し、二点鎖線の状態へ揺動降下し、収納ラック１から収納物２１の出し入れ作業等を行う。その後、この出し入れ作業等を終えると、再び把持部１６の取手部５に（図３のように）手を掛けて図１の矢印２８の逆方向へ収納ラック１を押し上げ、固定枠体２内に収納する。ここで、捩りバネ部材４によって与えられる弾発付勢力が、上述のように主アーム部材９（の基部）に伝達されて、矢印２８と反対方向（上昇方向）に収納ラック１が弾発付勢されており、引出作業では、収納ラック１を不意に急降下することが防止され、かつ、矢印２８と反対の方向へ持ち上げて収納させる作業もスムースに行える。
【００２０】
図５のように、（可動棚板２５の）後端部２５ｂを、後方底面部６の後端部付近まで矢印２９の方向へスライドすると、収納ラック１は、内部に（下方収納空間３２及び中間収納空間３３を上下方向に併せた）大収納空間を有し、縦長収納物２１０  を収納可能となる。このとき、後方底面部６上に積層される可動棚板２５上にも、収納物２１が収納される。そして、可動棚板２５の前端部２５ａに形成された起立片を手で把持し矢印２９の逆方向へスライドすると、吊棚装置は、再び図４の状態になる。
【００２１】
図６の状態では、図４の状態と同様に多数の点々にて示すような下方収納空間３２を有し、全体的にも同様の収納空間を有する。次に、第一可動棚板２６を矢印２９の方向へスライドさせて、図７の状態にすると、収納ラック１は、後方底面部６と第一可動棚板２６との合計底面積を有する（前後方向に幅の広い）中間収納空間３３と、大収納空間と、を有する。さらに、第一可動棚板２６及び第二可動棚板２７を矢印２９の方向へスライドさせて、図８の状態にすると、収納ラック１は、背の高い縦長収納物２１０  を収納可能となる。
【００２２】
この状態から、第一可動棚板２６の前端部２６ａに形成された起立片を手で把持し矢印３５の方向へスライドすると、（第一可動棚板２６の）後端部２６ｂと（第二可動棚板２７の）前端部２７ａとが係合し、図９の状態になる。さらに、手で把持し矢印３５の方向へ引くと、第一可動棚板２６と第二可動棚板２７とが一体となってスライドして、図６のように連続同一平面状態になる。
【００２３】
以上のように、本発明の吊棚装置の収納ラック１の底面は、後方底面部６，前方底面部７，鉛直面部８とから段差状（階段状）に形成され左右方向に横架状に配設された捩りバネ部材４を逃げた（捩りバネ部材４のスペースを最低限確保した）構造に形成されているので、下方部分を増容量下方収納空間３２として最大限有効に利用することができる。なお、吊棚装置として、捩りバネ部材４の無い機構のものにも、本発明は適用できて、この収納ラック１の底面の裏面側は、収納ラック１を収納状態と引出状態とに揺動させる際も固定枠体２に接触せず好ましいといえる。つまり、弾発力を渦巻バネ等で与える機構の吊棚装置にも有効であるといえる。さらに、後方底面部６と前方底面部７とが、段差状（階段状）に形成されているので、（前方底面部７よりも高位置の）後方底面部６からも収納物を取出し易い。
【００２４】
そして、収納ラック１に可動棚板２５を備え、前方底面部７の上方に後方底面部６と略同一高さにスライドすれば、収納ラック１内部に平坦な収納面を確保でき、幅広の収納物を収納できる。また、可動棚板２５を後方へスライドするか、取り外せ（図示省略）ば、縦長収納物を収納することもできる。このように、可動棚板２５の製造及び取付は容易でありながら、可動棚板２５を前後にスライドするだけで、収納物の大きさ，数量等に応じて収納空間の変更を容易に行うことができる。
【００２５】
さらに、可動棚板２５を第一可動棚板２６と第二可動棚板２７とに二分割することで、（図８に示されるように、）後方にスライドさせるとコンパクトに収納できるので、前方底面部７と同一面積の大収納空間を有することが可能となり、収納スペースを一層有効に利用できる。
【００２６】
また、収納ラック１を手前下方の引き出し状態にするための把持部１６は、前方へ開口状であって横断面Ｃ字状やＧ字状やコ字状の取手部５が前方底面部７の前端部に備えられた構造であるので、一層収納ラック１の底面部の広い面積部が、収納用スペースとして利用可能となる。しかも、この取手部５は、金属押出型材から成り、収納ラック１の補強作用も兼ねる。
【００２７】
【発明の効果】
本発明は、上述の構成により次のような著大な効果を奏する。
【００２８】
（請求項１によれば、）収納ラック１の底面は、後方底面部６，前方底面部７，鉛直面部８とから段差状に形成され、下方部分を増容量収納空間として最大限有効に利用することができる。しかも、この収納ラック１の底面の裏面側は、収納ラック１を収納状態と引出状態とに揺動させる際も固定枠体２に接触せず、リンク軌道による形状の制約の点でも問題はない。さらに、後方底面部６と前方底面部７とが、段差状（階段状）に形成されているので、（前方底面部７よりも高位置の）後方底面部６からも収納物を取出し易い。
【００２９】
（請求項２，３によれば、）可動棚板２５を前方にスライドすれば、収納ラック１内部に平坦な収納面を確保でき、幅広の収納物を収納できる。また、可動棚板２５を後方へスライドするか取り外せば、縦長収納物を収納することもできる。このように、可動棚板２５の製造及び取付は容易でありながら、可動棚板２５を前後にスライドするだけで、収納物の大きさ，数量等に応じて収納空間の変更を容易に行うことができる。
【００３０】
（請求項３によれば、）後方にスライドさせるとコンパクトに収納できるので、前方底面部７と同一面積の大収納空間を有することが可能となり、収納スペースを一層有効に利用できる。
【００３１】
（請求項４によれば、）一層収納ラック１の底面部の広い範囲にわたる面積が、収納用スペースとして利用可能となる。しかも、把持部１６は、金属押出型材から成り製造も簡易であると共に、収納ラック１の前方開口部下辺を補強できて好都合である。
【図面の簡単な説明】
【図１】本発明の吊棚装置の実施の一形態を示す側面図である。
【図２】一部破断にて示す正面図である。
【図３】収納ラックの要部拡大断面側面図である。
【図４】収納ラックの作用説明用の断面側面図である。
【図５】可動棚板を後方へスライドした断面側面図である。
【図６】本発明の他の実施の形態を示す作用説明用の要部断面側面図である。
【図７】第一可動棚板を後方へスライドして第二可動棚板に積層した状態を示す要部断面側面図である。
【図８】第一可動棚板と第二可動棚板とを共に後方底面部上へスライドした状態を示す要部断面側面図である。
【図９】第一可動棚板のみを前方へスライドした状態を示す要部断面側面図である。
【図１０】要部説明用の一部断面側面図である。
【符号の説明】
１  収納ラック
２  固定枠体
３  平行四節リンク機構
４  捩りバネ部材
６  後方底面部
７  前方底面部
８  鉛直面部
１１    第一軸心
１２    第二軸心
１６    把持部
２５    可動棚板
２６    第一可動棚板
２７    第二可動棚板
【図１】
2004313247.tif 000003
【図２】
2004313247.tif 000004
【図３】
2004313247.tif 000005
【図４】
2004313247.tif 000006
【図５】
2004313247.tif 000007
【図６】
2004313247.tif 000008
【図７】
2004313247.tif 000009
【図８】
2004313247.tif 000010
【図９】
2004313247.tif 000011
【図１０】
2004313247.tif 000012